(57)【要約】      （修正有）【課題】単純な構造により低コストで製造でき、メンテナンスも容易で、飼料を前方に押し出し過ぎることのない飼料寄せ器を提供する。【解決手段】地面に対して平行に移動する移動体に連結して移動する飼料寄せ器Ｘとして、中心軸で軸支される車輪２１からなる押し出し部２０と、押し出し部の回転軸を進行方向に直交する平面内で、鉛直に対してやや斜めになるように保持する、移動体に連結するフレーム１０とにより構成する。【選択図】図１
0003192023.tif 000002
【実用新案登録請求の範囲】
【請求項１】
地面に対して平行に移動する移動体に連結して移動する飼料寄せ器であって、
中心軸で軸支される車輪からなる押し出し部と、
前記押し出し部の回転軸を進行方向に直交する平面内で、鉛直に対してやや斜めになるように保持する、前記移動体に連結するフレームと
を有する飼料寄せ機。
【請求項２】
前記押し出し部は前記フレームに進行方向に対して左右対称に一対以上設けられ、対となる左右それぞれの前記押し出し部の前記回転軸は上端側が互いに離れるように設けられるものである請求項１に記載の飼料寄せ器。
【考案の詳細な説明】
【技術分野】
【０００１】
本考案は、牛舎等において散乱した飼料を一方に寄せるために使用する器械に関する。
【背景技術】
【０００２】
牛舎等、通路を挟んで育舎を設け、育舎に沿った通路脇に飼料を分配して給餌する施設においては、家畜が餌を食するに際して、飼料の山を崩し、育舎から届かないところに飼料を散乱させてしまうので、飼料を無駄にしないために、飼料を通路脇に戻してやる必要が生じる。多くの場合、人力で箒やスコップで飼料を寄せる作業を行っているが、重労働であるので下記特許文献に示すような種々の器械が提案されている。
特許文献１に記載の考案は回転するブラシを地面に平行に移動する移動体に固定して、ブラシで飼料を側方へ掃きだすものである。特許文献２に記載の考案は、地面に平行に移動する移動体に、斜めに配された板体を固定し、これにより飼料を側方に移動させるものである。特許文献３に記載の考案は、コンベア手段を地面に平行に移動する移動体に斜めに固定し、このコンベア手段により散乱した飼料を側方に集めるものである。特許文献４に記載の考案は、地面に平行に移動する移動体に、飼料を側方に押し込むように回動する板体を設けたものである。
【先行技術文献】
【特許文献】
【０００３】
【特許文献１】特開2001-299122公報
【特許文献２】特開平11-89470公報
【特許文献３】実用新案登録3132485公報
【特許文献４】特開2006-94717公報
【考案の概要】
【考案が解決しようとする課題】
【０００４】
ところで、特許文献１に記載の考案はブラシを回転させるのでブラシ内に飼料が絡まり清掃が大変であり、また、回転駆動手段が必要で構造も複雑である。特許文献２に記載の考案は、シンプルで低コストで製造できるが、飼料が進行方向にも押されるので前方に飼料が溜まりやすい。特許文献３や特許文献４に記載の考案は、飼料が前方に押されるようなこともなく、清掃も比較的容易であるが、構造が大掛かりであり製造コストがかかるという問題がある。
本考案は、このような問題に鑑みて、単純な構造により低コストで製造でき、メンテナンスも容易で、飼料を前方に押し出し過ぎることのない飼料寄せ器を提供することを課題とする。
【課題を解決するための手段】
【０００５】
上記課題を解決するために、本考案は、次のような構成を有する。
請求項１に記載の考案は、地面に対して平行に移動する移動体に連結して移動する飼料寄せ器であって、中心軸で軸支される車輪からなる押し出し部と、前記押し出し部の回転軸を進行方向に直交する平面内で、鉛直に対してやや斜めになるように保持する、前記移動体に連結するフレームとを有する飼料寄せ器である。
請求項２に記載の考案は、前記飼料寄せ器において、前記押し出し部はフレームに進行方向に対して左右対称に一対以上設けられ、対となる左右それぞれの前記押し出し部の前記回転軸は上端側が互いに離れるように設けられるものである。
【考案の効果】
【０００６】
以上のような構成により、本考案は、次のような効果を奏する。
請求項１に記載の考案は、押し出し部を飼料のはみ出した部分上を転がるように移動体を移動させると、押し出し部を構成する回転軸が斜めになった車輪は、転がりながら進行方向前面で飼料を車輪の外側へ押し出す。このように飼料を回転しながら側方に押し出すので、飼料が過剰に進行方向側に押し出されることがなく、また、構造が単純なので低コストで製造でき、メンテナンスも容易である。
請求項２に記載の考案は、押し出し部を左右に設けることで安定性がよくなり、また、通路の左右に育舎がある通路において適当な幅に左右の押し出し部を設ければ、通路を一度通るだけで左右の飼料を左右それぞれの育舎側に寄せることができる。
【図面の簡単な説明】
【０００７】
【図１】（ａ）は実施形態に係る試料寄せ器の平面図であり、（ｂ）は実施形態に係る試料寄せ器の正面図である。
【図２】図１（ａ）のA-A線拡大断面図である。
【図３】実施形態に係る試料寄せ器の使用状態を示す図である。
【考案を実施するための形態】
【０００８】
以下、本考案の実施の形態について、図面を参照しながら説明する。
図１（ａ）に本実施形態に係る試料寄せ器Ｘの平面図を示し、図１（ｂ）に試料寄せ器Ｘの正面図を示す。なお、正面図と背面図とは同一に表れる。試料寄せ器Ｘはフレーム１０と、押し出し部２０とから構成される。フレーム１０は各パイプを長方形状に溶接したものであり、正面側から背面側に２箇所、前後に貫通する丸穴を左右対称に形成し、当該丸穴に丸パイプを嵌めて溶接固定している。当該丸パイプは連結部１１を構成するものであって、当該丸パイプ同士の間隔は所定のロールフォークを装着したホイールローダーの、２本のフォークの間隔に合致し、当該丸パイプはこの２本のフォークが挿入できる大きさに設定されている。
図２に図１（ａ）のA-A線拡大断面図を示す。フレーム１０の左右の縁部を構成する各角パイプ中央には上面から底面に向かってやや内側に向かって傾斜するような貫通孔が設けられ、当該貫通孔に円筒体からなる軸支部１２が溶接固定されている。軸支部１２は上面及び下面にラジアル軸受１２ａが嵌合固定される扁平な円柱状の穴が形成されている。軸支部１２は鉛直面内で鉛直に対して、ここでは約２度外側に傾くように設定しているが、この角度は任意であり、後述する車輪の形状、車輪に対する回転トルク等から設計者が適宜定めることができる。
押し出し部２０は左右対称に一対設けられるもので、車輪部２１と車軸部２２とから構成される。車輪部２１は一般的な古タイヤが用いられる。車軸部２２は、前記ラジアル軸受１２ａの内周に嵌合する外径を有する、上下にはねじ穴が形成された丸棒２２ａと、中央部が上方に湾曲した細長い長方形状板体と、中央部が下方に湾曲した細長い長方形状の板体を端部同士を重ねて溶接した形状を有する固定アーム２２ｂとから構成される。固定アーム２２ｂの両端部には貫通孔が形成されるとともに、前記車輪部２１の一面側に当該貫通孔の位置に合致する貫通孔が中心軸に対称に形成され、これらの貫通孔が合わさった状態でボルトを通してナットで締結することで、固定アーム２２ｂに車輪部２１が固定される。また、固定アーム２２ｂの中央上方側の板部分には丸棒２２ａが通る穴が形成され、固定アーム２２ｂの中央下方側の板部分には丸棒２２ａのねじ穴に係合するボルトが通る穴が形成されており、丸棒２２ａはこの上方側の穴を通って下方側の穴上面側に当接した状態で、ボルトを丸棒２２ａ下方のねじ穴に締結させることで、固定アーム２２ｂに固定される。ラジアル軸受１２ａを通る丸棒２２ａの上方側はワッシャを介してボルトと上側のねじ穴とで締結固定される。なお、固定アーム２２ｂの上面と、下方側のラジアル軸受１２ａとの間に位置するように、ラジアル軸受１２ａの内輪と同じ外形のリングが丸棒２２ａに挿入されている。また、固定アーム２２ｂは板バネと同じ構造を有することで、丸棒２２ａの長さを適当なものとすれば摩擦係合力で丸棒２２ａと固定アーム２２ｂとは十分な締結ができるが、丸棒２２ａと固定アーム２２とは溶接によって固定してもよい。
【０００９】
次に、以上のような構成を有する飼料寄せ器Ｘの使用方法について説明する。ここでは、育舎に挟まれる通路の両端に適切に配置した飼料の内側端部同士の幅と、飼料寄せ器Ｘの車輪部２１の最下端間の距離とがほぼ等しい牛舎で飼料寄せ器Ｘを使用するものとする。まず、使用者は図３に示すように、ロールフォークを装着したホイールローダーＷのフォークを、飼料寄せ機Ｘのフレーム１０に設けられた連結部１１に突き刺して、ホイールローダーＷと飼料寄せ器Ｘとを連結固定する。そして、この状態でホイールローダーＷで飼料寄せ器Ｘを押しながら通路の中央を一方の端から他方の端に向かって進んでいく。この際、飼料寄せ機Ｘの車輪部２１が床に十分に接触するようにホイールローダーＷのフォークの高さを調節する。これにより、車輪部２１は外側下端のみが接触しているので、車輪部２１は押されるにつれて回転しながら進むこととなる。この際、車輪部２１はほぼ水平に近い角度に傾いているので、車輪部２１の外周前方は内側から外側に向かうように動く。これによって、車輪部２１の前方に存在する飼料は車輪部２１の外周に外側に押される。従って、飼料寄せ器Ｘの移動に従って飼料は車輪部２１に押されて通路の端部側へと移動していくこととなる。
本考案に係る飼料寄せ器Ｘは、構造が簡易であるため低コストで製造でき、車輪面は比較的清掃が容易であるためメンテナンスにも労力がかからず、車輪が転がりながら飼料を押すので飼料が前方に押し出されすぎず、また、押し出し部分の磨耗も少ないので長時間の使用が可能である。
【００１０】
なお、上記実施形態ではロールフォークを装着したホイールローダーのフォーク部分に連結するように構成しているが、飼料寄せ器Ｘは地面に平行に移動する移動体であれば、トラック、乗用車、台車等任意のものに装着することができ、連結方法もボルトナットで固定したり、溶接で固定したりと任意の方法で固定することができる。
また、上記実施形態では左右に押し出し部２０を設けた飼料寄せ器Ｘを示したが、片側のみに押し出し部２０を設け、押し出し部２０の反対側は地面に平行に移動する移動体の側面に固定する等、片側のみでも機能させることが可能である。
【符号の説明】
【００１１】
Ｘ  飼料寄せ器
１０  フレーム
１１  連結部
１２  軸支部
２０  押し出し部
２１  車輪部
２２  車軸部
【図１】
0003192023.tif 000003
【図２】
0003192023.tif 000004
【図３】
0003192023.tif 000005